(57)【要約】  本発明は、接着剤、被覆材、又は着色材料の膜を裏打ちテープ（３４）から基板上に転写するためのハンドヘルド型装置（１）に関し、ハウジングと交換可能なカートリッジ（１３）とを備え、ハウジングは、第１のハウジング部材（２）と第２のハウジング部材（３）とからなり、第１のハウジング部材（２）は、ハンドヘルド型装置（１）の前端（７）に、先端開口部（６）を設けられ、第２のハウジング部材（３）は、ハンドヘルド型装置（１）の後端（９）に、後部開口部（１０）とフラップ（８）とを設けられ、フラップ（８）は、後部開口部（１０）を覆う閉じた位置から、ヒンジ（１５）の軸線を中心として揺動して、後部開口部（１０）を覆わない開いた位置になるように適合している。【選択図】  図１
2009522139.tif 000002
【特許請求の範囲】
【請求項１】
接着剤、被覆材、又は着色材料の膜を裏打ちテープ（３４）から基板上に転写するためのハンドヘルド型装置（１）であって、
第１のハウジング部材（２）と第２のハウジング部材（３）とからなるハウジングを備え、かつ、まわりにテープが案内され、膜を転写するために基板に対して押圧されるように設計されている付着部材を備え、
第１及び第２のハウジング部材は、互いに入子式に取り付けられ、伸張した位置においては、片方のハウジング部材が付着部材を保護し、押し戻した位置においては、付着部材は使用のために露出する、ハンドヘルド型装置。
【請求項２】
接着剤、被覆材、又は着色材料の膜を裏打ちテープ（３４）から基板上に転写するためのハンドヘルド型装置（１）であって、
ハウジングと交換可能なカートリッジ（１３）とを備え、ハウジングは第１のハウジング部材（２）と第２のハウジング部材（３）とからなり、
第１のハウジング部材（２）は、ハンドヘルド型装置（１）の前端（７）に、先端開口部（６）を設けられ、
第２のハウジング部材（３）は、ハンドヘルド型装置（１）の後端（９）に、後部開口部（１０）とフラップ（８）とを設けられ、
フラップ（８）は、後部開口部（１０）を覆う閉じた位置から、ヒンジ（１５）の軸線を中心として揺動して、後部開口部（１０）を覆わない開いた位置になるように適合している、ハンドヘルド型装置。
【請求項３】
フラップ（８）は、第１の端部（３５）を有し、第１の端部は、第２のハウジング部材にヒンジ結合されている、請求項２に記載のハンドヘルド型装置。
【請求項４】
フラップ（８９）は、第２の端部（１７）を有し、第２の端部にはロック部材（１８）が設けられ、第２のハウジング部材（３）に設けられた対応するロック部分（１９）と係合するように適合している、請求項２又は３に記載のハンドヘルド型装置。
【請求項５】
カートリッジ（１３）は、供給リール軸ボス（２８）を備え、供給リール軸ボスには、供給リール（３０）が取り付けられ、供給リールには、表面に膜を備えたテープ（３４）が巻き付けられている、請求項２〜４のいずれか一項に記載のハンドヘルド型装置。
【請求項６】
カートリッジ（１３）は、巻取リール軸ボス（２９）を備え、巻取リール軸ボスには、巻取リール（３１）が取り付けられ、巻取リールには、使用済みの裏打ちテープ（３４）が自動的に巻き取られる、請求項２〜５のいずれか一項に記載のハンドヘルド型装置。
【請求項７】
カートリッジ（１３）は、付着部材（５）を備え、付着部材のまわりに裏打ちテープ（３４）が案内され、付着縁部（１１）を有する先端部（４）を備えている、請求項２〜６のいずれか一項に記載のハンドヘルド型装置。
【請求項８】
裏打ちテープ（３４）を供給する駆動機構（２７）は、摩擦クラッチを備えている、請求項１〜７のいずれか一項に記載のハンドヘルド型装置。
【請求項９】
第１のハウジング部材（２）と第２のハウジング部材（３）とは、入子式の態様にて、互いに結合されている、請求項２〜８のいずれか一項に記載のハンドヘルド型装置。
【請求項１０】
第１のハウジング部材（２）と第２のハウジング部材（３）とは、ハンドヘルド型装置（１）の長手軸線（Ｌ）に沿って、付着部材（５）の先端部（４）が先端開口部（６）を通して突出する第１の位置から、付着部材（５）の先端部（４）がハウジングの中に引っ込められる第２の位置へと互いに動く、請求項１〜９のいずれか一項に記載のハンドヘルド型装置。
【請求項１１】
第２の位置においては、第２のハウジング部材（３）は伸張している、請求項１０に記載のハンドヘルド型装置。
【請求項１２】
フラップ（８）は、第２のハウジング部材（３）の後端（９）に対応した、半円形状を有している、請求項２〜１１のいずれか一項に記載のハンドヘルド型装置。
【請求項１３】
後部開口部（１０）は、カートリッジ（１３）のサイズに比べて若干大きなサイズを有している、請求項２〜１２のいずれか一項に記載のハンドヘルド型装置。
【請求項１４】
カートリッジ（１３）は、第２のハウジング部材（３）に支持されている、請求項１〜１２のいずれか一項に記載のハンドヘルド型装置。
【請求項１５】
ハンドヘルド型装置（１）に、接着剤、被覆材、又は着色材料が付着された裏打ちテープ（３４）を補給するための交換可能なカートリッジ（１３）であって、テープ（２４）がまわりに巻き付けられた付着部材（５）が通って突出する先端開口部（２６）が設けられたハウジング（２３）と、駆動機構（２７）とを備えている、交換可能なカートリッジ。
【請求項１６】
ハウジング（２３）の内壁に、供給リール軸ボスが形成され、これに供給リール（３０）が取り付けられ、供給リールには、表面に膜を有する裏打ちテープ（３４）が巻き付けられている、請求項１５に記載の交換可能なカートリッジ。
【請求項１７】
ハウジング（２３）の内壁に、巻取リール軸ボス（２９）が設けられ、これに巻取リール（３１）が取り付けられ、巻取リールには、使用済みの裏打ちテープ（３４）が自動的に巻き取られる、請求項１５又は１６に記載のハンドヘルド型装置。
【請求項１８】
駆動機構（２７）が設けられ、供給リール軸ボス（２８）には駆動ギアホイール（３２）が設けられ、巻取リール軸ボス（３１）には被動ギアホイール（３３）が設けられている、請求項１４〜１６のいずれか一項に記載の交換可能なカートリッジ。
【請求項１９】
駆動ギアホイール（３２）と被動ギアホイール（３３）とは係合している、請求項１７に記載の交換可能なカートリッジ。
【請求項２０】
駆動機構（２７）は、摩擦クラッチを備えている、請求項１７又は１８に記載の交換可能なカートリッジ。
【請求項２１】
ハウジング（２３）は、上側本体（２４）と下側本体（２５）とを備えている、請求項１５〜２０のいずれか一項に記載の交換可能なカートリッジ。
【発明の詳細な説明】
【技術分野】
【０００１】
本発明は、接着剤、被覆材、又は着色材料の膜を裏打ちテープから基板上に転写するためのハンドヘルド型装置、及び、ハンドヘルド型装置に、接着剤、被覆材、又は着色材料が付着された裏打ちテープを補給するための交換可能なカートリッジに関する。
【背景技術】
【０００２】
接着剤又は修正テープなどの膜を基板上に転写するためのハンドヘルド型装置は、従来技術によって知られている。通常、そうしたハンドヘルド型装置は、互いにしっかりと結合されて、ハウジングを形成するような上側ハウジング本体と下側ハウジング本体とから構成されたハウジングを備えている。ハウジングの内側には、駆動機構が設けられ、ハウジングの前端にある開口部を通して突出している付着部材に未使用のテープを供給し、使用済みのテープを別のリールに自動的に巻き取るようになっている。しかしながら、修正テープなどの使い切った後には、ハンドヘルド型装置の全体を廃棄しなければならず、もはや再使用はできず、このことは極めて無駄になる。内部要素を取り付けた後に、上側本体と下側本体とは互いにしっかりと結合されているので、使用後に、テープを補給するためにハウジングを再び開くことは不可能である。さらに、たとえ仮にハウジングが再び開けるとしても、ユーザにとっては、修正テープ又は接着テープなどの新たなロールを、ハウジングの内側又は内壁のそれぞれに設けられたリールに取り付けることは容易に可能ではなく、というのは、要素は極めて小型であり、取付けは極めて精密に実行されなければならないためである。さらに、これらのテープは非常に敏感であり、ハウジングの内部の正しい経路に沿ってテープを案内して、テープのロールをリールに配置することは、最もたぶん、テープが破れてしまうことで終わり易い。従って、ハンドヘルド型装置に収容されたテープを使い切る毎に、ハンドヘルド型装置の全体を廃棄しなければならず、非常に高価になる。さらに、ハンドヘルド型装置は、例えば、修正テープなど、ひとつのタイプのテープだけについて使用することができる。例えば、接着テープなど、別の種類のテープを使用するためには、ユーザは、別のハンドヘルド型装置を購入しなければならない。
【０００３】
従来技術で知られているハンドヘルド型装置において生じる別の問題点は、テープを運ぶ付着部材の先端部が、たとえハンドヘルド型装置が使用されないときにも、常にハウジングから突出しており、極めて敏感なテープが常に外部の影響にさらされ、従って、容易に傷付き又は破れることである。
【発明の開示】
【発明が解決しようとする課題】
【０００４】
従って、本発明が基づく目的は、任意の種類のテープを用いて、再使用又は再補給のそれぞれが可能であるようなハンドヘルド型装置であって、使用済みのテープを新たなテープに交換することが、ユーザにとって、極めて容易で複雑でなく、また、ハンドヘルド型装置が使用されていないとき、付着部材が外部の影響から保護されるようなハンドヘルド型装置を提供することである。
【課題を解決するための手段】
【０００５】
この目的は、請求項１に記載の特徴を有するハンドヘルド型装置と、請求項１４に記載の特徴を有する、ハンドヘルド型装置で用いるための交換可能なカートリッジとによって解決される。本発明の好ましい実施形態は、従属請求項に定められている。
【０００６】
本発明によれば、接着剤、被覆材、又は着色材料の膜を裏打ちテープから基板上に転写するためのハンドヘルド型装置は、ハウジングと交換可能なカートリッジとを備え、ハウジングは、第１のハウジング部材と第２のハウジング部材とからなり、第１のハウジング部材は、ハンドヘルド型装置の前端に、先端開口部を設けられ、第２のハウジング部材は、ハンドヘルド型装置の後端に、後部開口部とフラップとを設けられ、フラップは、後部開口部を覆う閉じた位置から、ヒンジの軸線を中心として揺動して、後部開口部を覆わない開いた位置になるように適合している。
【０００７】
フラップは、ハンドヘルド型装置又は第２のハウジング部材のそれぞれの後端に設けられているので、後者は開くことができ、使用済みのカートリッジを取り出して、新たなカートリッジで置き換えることができる。さらに、ハウジングは、別のタイプのテープを支持したカートリッジによって交換するためにも使用でき、ハンドヘルド型装置は、カートリッジが交換されると、例えば、修正テープ付着器として、又は、代わりに接着テープ付着器として使用できる。従って、テープのロールを使い切った後に、ハンドヘルド型装置のハウジングは、何回も使用でき、廃棄する必要はない。テープを備えたカートリッジだけの交換は、安価であり、廃棄物も少なくなる。
【０００８】
さらに、ハウジングは、第１のハウジング部材と第２のハウジング部材とから構成されている。２つの部材は、互いに入子式に結合されており、第１のハウジング部材と第２のハウジング部材とは、ハンドヘルド型装置の長手軸線に沿って、互いに動くことができる。従って、第１の位置においては、第１のハウジング部材の中に第２の部材が完全に挿入されたとき、付着部材の先端部は、第１のハウジング部材に設けられた先端開口部を通して突出し、ハンドヘルド型装置が修正テープなどの膜を基板上に付着するために使用できるようになっている。ハンドヘルド型装置が使用されないときには、カートリッジを内部に支持している第２のハウジング部材は、第２の位置へ後方に移動され、第１のハウジング部材から伸張して、自動的に、付着部材の先端部は、ハウジングの中に引っ込んで、従って、外部の影響から保護される。
【０００９】
フラップは、その形状とそのロック機構とに起因して、第２のハウジング部材の後部開口部を確実に閉じ、カートリッジは、ユーザが交換しなければならないときまで、ハウジングの内側に保持される。次に、第２のハウジング部材に設けられたヒンジのまわりを揺動して、フラップは容易に開かれ、後部開口部を覆わなくなって、カートリッジは、取り出され、新たなものと交換することができる。従って、本発明によれば、簡単で有効な再利用システムが提供される。
【００１０】
さらに、本発明によれば、ハンドヘルド型装置に、接着剤、被覆材、又は着色材料が付着された裏打ちテープを補給するための交換可能なカートリッジが提供され、テープがまわりに巻き付けられた付着部材が通って突出する開口部が設けられたハウジングと、駆動機構とを備えている。本発明による交換可能なカートリッジは、小型のデザインを有し、ハンドヘルド型装置の中に交換するのが容易である。さらに、カートリッジは、内側にすべての要素を備え、すなわち、テープを供給し再び巻き取る駆動機構と共に、基板上にテープを付着するための付着部材を備えている。従って、カートリッジの交換又は置き換えは、それぞれ、極めて容易である。
【００１１】
本発明、及び本発明によって達成される別の利点については、添付図面を参照した好ましい実施形態によって、以下、詳細に説明されるだろう。
【発明を実施するための最良の形態】
【００１２】
図１は、本発明によるハンドヘルド型装置１を示した側面図であって、第１のハウジング部材２と第２のハウジング部材３とは第１の位置にあり、付着部材５の先端部４は、ハンドヘルド型装置１の前端７に形成された先端開口部６を通って突出している。この位置においては、第２のハウジング部材３と第１のハウジング部材２とは、可能な限り、互いに押し込まれている。
【００１３】
これに関して、第１及び第２のハウジング部材は、互いに取り付けられ、これらは、互いに入子式の態様にて、変位することができるようになっている。
【００１４】
第１のハウジング部材２は、図３に示した突出した位置において、付着先端部４を保護するように適合している。
【００１５】
図１の押し戻した位置においては、先端部４が露出して、従って、基板に対してテープを付着するのに使用できるようになっている。押し戻した位置においては、第１のハウジング部材２は、第２のハウジング部材と実質的な量において、好ましくは、第２のハウジング部材の長さの５０％を越えて、重なり合っている。図示の例においては、テープのための供給リールと巻取リールとは、互いに同軸的に配置されていると仮定されている。この場合、図１の押し戻し位置にあるとき、第１のハウジング部材は、リールの共通軸線に後方が至るまで、第２のハウジング部材と重なり合うように配置してもよい（修正テープの用途の装置におけるリールの同軸的な配置は、従来技術から知られている。）。
【００１６】
好ましくは、第１のハウジング部材は、少なくともリールの軸支軸線に至るまで、第２のハウジング部材と重なり合う。好ましくは、第１のハウジング部材の後端は、側面から見たとき、少なくとも１つのリールの外形と重なり合っている。これは、２つのリールが同軸的に配置されないが、リールの軸が互いに隔てられるような設計にも適用できる。この場合、好ましくは、第１のハウジング部材の後端は、側面から見たとき、前方リールの外形の少なくとも一部分と重なり合っている。
【００１７】
第１のハウジング部材が後方に長く延びているために、第１のハウジング部材は、基板上にテープを付着するとき、ユーザの指で保持されるように設計されている。
【００１８】
第２のハウジング部材は、その内側に２つのリールが取り付けられ、側面から見たとき、円板の形状を有することができる。第１のハウジング部材の後端は、第２のハウジング部材におけるこの円板部分と、少なくとも部分的に重なり合っている。
【００１９】
第１のハウジング部材の後端は、好ましくは、第２のハウジング部材の側壁だけを覆い、上壁及び底壁を覆わない（これは、装置を動作させるとき、基板に向けられる部分である。）。
【００２０】
第１のハウジング部材の前端は、付着先端部４を完全に取り囲むように設計されている。
【００２１】
図２に示すように、第１及び第２の部材の伸張した位置においては、先端部４は、もはや露出せずに、保護される。
【００２２】
フラップ８は、ハンドヘルド型装置１の後端９に設けられ、第２のハウジング部材３の後端に設けられた後部開口部１０を覆っている。フラップ８の形状は、半円形であり、第２のハウジング部材３の形状に合致する。
【００２３】
第１のハウジング部材２と第２のハウジング部材３とがこの位置にあるとき、すなわち、押し戻された第１の位置にあるとき、ハンドヘルド型装置１は使用される準備ができており、というのは、付着部材５の先端部４がハウジングから突出しているためである。付着部材５の先端部４は、付着縁部１１を有し、そのまわりに、例えば、修正材料の膜で被覆された裏打ちテープが、２つの対向する案内翼１２の間に案内される。付着部材５は、カートリッジ１３の一部分であり、カートリッジは、第１のハウジング部材２と第２のハウジング部材３との内部に形成されたキャビティの中に配置され、カートリッジ１３は第２のハウジング部材２によってのみ支持されている。
【００２４】
ハンドヘルド型装置１がユーザによってテープを付着するために使用されるとき、修正又は接着テープなどが基板上に付着され、ユーザは、彼の指を第１のハウジング部材２の外面に配置して、ハンドヘルド型装置１を保持する。従って、第１のハウジング部材２の外面のそれぞれの側部には窪みを設けることができ、窪みの中には、ユーザは彼の指を置くことができて、ハンドヘルド型装置１を使用するとき、滑らないようになる。変形例としては又は追加的には、例えば、把持リブの形状であるさざなみを、第１のハウジング部材２の外面に設けることもできる。第１のハウジング部材２と第２のハウジング部材３とは、依然として両者を入子式に許容するような、任意の便利な手段によって互いに結合することができる。例えば、フォーム継手によって互いに結合することができる。
【００２５】
図２は、本発明によるハンドヘルド型装置１を示した側面図であって、第１のハウジング部材２と第２のハウジング部材３とは、第２の（伸張した）位置にあり、この位置においては、第２のハウジング部材３は、第１のハウジング部材２から延びている。ユーザがハンドヘルド型装置１の使用を終えた後には、彼は、単に、実質的にハンドヘルド型装置２の長手軸線Ｌの方向に、第２のハウジング部材３を引き戻すことができ、第２のハウジング部材３が延びて、従って、ハンドヘルド型装置１の全体が細長くなるようになっている。
【００２６】
第１及び第２のハウジング部材における、この入子式の構成は、カートリッジタイプ及び非カートリッジタイプの両方のディスペンサに使用できることに留意されたい。
【００２７】
付着部材５は、第２のハウジング部材３によってのみ支持されているので、付着部材は、第２のハウジング部材と一緒に、この動作によって、引き戻される。付着部材５の全体が、２つのハウジング部材の内部に形成されたキャビティの中に隠れると、第２の位置に達する。
【００２８】
この位置においては、先端部４は、及び、従って、先端部４のまわりに案内されたテープ３４は、外部の影響から保護され、ハンドヘルド型装置１は、テープ３４を傷付け又は破ることなく、安全に保管できる。
【００２９】
図３は、第２のハウジング部材３を示した側面図であって、カートリッジ１３は挿入せず、フラップ８は閉じている。また、第２のハウジング部材３は、先端開口部１４を有し、カートリッジ１３が挿入されたときには、先端開口部を通して、付着部材５の先端部４が突出する。フラップ８が閉じた位置にあるとき、フラップは、第２のハウジング部材３における後部開口部１０を覆い、カートリッジ１３は、第２のハウジング部材３のキャビティの内側に確実に留まるだろう。さらに、フラップ８が閉じた位置にあるとき、フラップ８の形状は半円形であり、第２のハウジング部材３の部分と一緒に、ほぼ円を形成する。
【００３０】
図４は、第２のハウジング部材３を示した側面図であって、カートリッジ１３を挿入せず、フラップ８を開いている。ここで、フラップ８は開いた位置にあり、それにより、フラップは、ヒンジ１５のまわりを回転し、第１の端部３５と第２の端部１７とを有するフラップ８が、第１の端部３５を用いて、第２のハウジング部材３に結合されている。この位置においては、第２のハウジング部材３の後部部分に設けられた後部開口部１０は、覆われることがなく、第２のハウジング部材３の内部に形成されたキャビティの中に、カートリッジ１３を挿入できるようになっている。後部開口部１０のサイズは、カートリッジ１３自体に比べてわずかに大きくなっており、後者を容易に挿入することができる。カートリッジ１３の挿入の後には、フラップ８は、後部開口部１０を覆うために、戻して回転させる必要がある。さらに、フラップ８が第１の位置に達したとき、フラップは後部開口部１０を覆って、ロック機構１６によってこの位置にロックされる。
【００３１】
図５は、ロック機構１６を示した斜視図である。フラップ８の第２の端部１７には、ロック機構１６におけるロック部材１８が設けられ、これは、第２のハウジング部材３の対応する位置に設けられた、ロック機構１６におけるロック部分１９と係合するように適合している。ロック部材１８は、フラップ８の第２の端部１７から突出している耳部２１に対して、実質的に垂直に延通している軸２０からなっている。
【００３２】
ロック機構１６を閉じるには、ロック部材１８は、第２のハウジング部材３の表面に設けられた、開口部２２の中に押し込む必要があり、それにより、開口部２２を部分的に覆っている突起部２３が、弾性的に撓んで、ロック部材１６を開口部２２の中に通過させ、弾性的に戻って、後に、耳部２１の両側に突出している軸２０の２つの部分を覆う。従って、フラップ８は、閉じた位置においてロックされる。
【００３３】
図６は、本発明による交換可能なカートリッジ１３を示した側面図である。カートリッジ１３は、ハウジング２３を有し、ハウジングは上側本体２４と下側本体２５とからなり、これらは互いに結合されている。また、ハウジング２３は先端開口部２６を有し、先端開口部を通して付着部材５が延在し、付着部材のまわりに修正テープなどを案内することができる。付着部材５は、先端部４を有し、その側部には、それぞれ案内翼１２が設けられ、また、付着縁部１１を有している。ハウジング２３の内部に形成されたキャビティには、供給及び駆動機構が設けられる。
【００３４】
図７は、本発明による交換可能なカートリッジを示した分解図である。上側本体２４と下側本体２５とは、ここでは分解されて示している。さらに、付着部材５と駆動機構２７とは離れた要素として示している。上側本体２４の内壁には、供給リール軸ボス２８と、巻取リール軸ボス２９とが形成されている。これらの要素は、下側本体２５の内壁にもちょうど同じに形成することができる。ここで、供給リール軸ボス２８と、巻取リール軸ボス２９とは、互いに間隔を隔てて、供給リール３０／駆動ギアホイール３２と、巻取リール３１／駆動ギアホイール３３とを別々に受ける。しかしながら、後者の同軸的な構成も、同様に想定することができる。
【００３５】
組み立てられた状態においては、供給リール３０と駆動ギアホイール３２とは、供給リール軸ボス２８に取り付けられ、巻取リール３１と駆動ギアホイール３３とは、巻取リール軸ボス２９に取り付けられる。駆動機構２７は、一体的な摩擦クラッチを有し、修正テープ３４などを供給リール３０から巻き戻して、使用済みの修正テープ３４を巻取リール３１に巻き取るように機能する。
【００３６】
既に述べたように、任意のその他の駆動機構を、カートリッジ１３の内部に設けることもできる。さらに、カートリッジ１３は、異なる種類のテープを満たすこともできる。カートリッジ１３が同一の形状及びサイズを有する限り、カートリッジは常に、第２のハウジング３の中に合致し、ハンドヘルド型装置１は、異なる目的のために再使用することができる。
【図面の簡単な説明】
【００３７】
【図１】本発明によるハンドヘルド型装置を示した側面図であって、第１のハウジング部材と第２のハウジング部材とは第１の位置になっている。
【図２】本発明によるハンドヘルド型装置を示した側面図であって、第１のハウジング部材と第２のハウジング部材とは第２の位置になっている。
【図３】第２のハウジング部材を示した側面図であって、フラップは閉じられている。
【図４】第２のハウジング部材を示した側面図であって、フラップは開かれている。
【図５】ロック機構を示した斜視図である。
【図６】本発明による交換可能なカートリッジを示した側面図である。
【図７】本発明による交換可能なカートリッジを示した分解図である。
【符号の説明】
【００３８】
１…ハンドヘルド型装置
２…第１のハウジング部材
３…第２のハウジング部材
４…先端部
５…付着部材
６…先端開口部
７…前端
８…フラップ
９…後端
１０…後部開口部
１１…付着縁部
１２…案内翼
１３…カートリッジ
１４…先端開口部
１５…ヒンジ
１６…ロック機構
１７…第２の端部
１８…ロック部材
１９…ロック部分
２０…軸
２１…耳部
２２…開口部
２３…ハウジング
２４…上側本体
２５…下側本体
２６…先端開口部
２７…駆動機構
２８…供給リール軸ボス
２９…巻取リール軸ボス
３０…供給リール
３１…巻取リール
３２…駆動ギア
３３…被動ギア
３４…テープ
３５…第１の端部
Ｌ…長手軸線
【図１】
2009522139.tif 000003
【図２】
2009522139.tif 000004
【図３】
2009522139.tif 000005
【図４】
2009522139.tif 000006
【図５】
2009522139.tif 000007
【図６】
2009522139.tif 000008
【図７】
2009522139.tif 000009
【手続補正書】
【提出日】平成19年9月20日(2007.9.20)
【手続補正１】
【補正対象書類名】特許請求の範囲
【補正対象項目名】全文
【補正方法】変更
【補正の内容】
【特許請求の範囲】
【請求項１】
接着剤、被覆材、又は着色材料の膜を裏打ちテープ（３４）から基板上に転写するためのハンドヘルド型装置（１）であって、
第１のハウジング部材（２）と第２のハウジング部材（３）とからなるハウジングと、まわりにテープが案内され、膜を転写するために基板に対して押圧されるように設計されている付着部材とを備えると共に、少なくとも２つのリール（３０，３１）を備え、
これらのリールが互いに同軸的に配置され、これらのリールには裏打ちテープ（３４）が巻き付けられており、
前記第１のハウジング部材（２）と前記第２のハウジング部材（３）とは、互いに入子式に取り付けられ、伸張した位置においては、前記第１のハウジング部材（２）が付着部材（５）を保護し、押し戻した位置においては、前記付着部材（５）は使用のために露出するようになっており、
前記第１のハウジング部材（２）が、前記第２のハウジング部材（３）と重なり合って、前記第１のハウジング部材（２）の後端が、側面から見たとき、前記リール（３０，３１）の少なくとも１つの外形の少なくとも一部分と重なり合っている、ハンドヘルド型装置。
【請求項２】
前記第１のハウジング部材（２）が、少なくとも、前記リール（３０，３１）の軸支軸線に至るまで、前記第２のハウジング部材（３）に重なり合っている、請求項１に記載のハンドヘルド型装置。
【請求項３】
さらに交換可能なカートリッジ（１３）を備え、
前記第１のハウジング部材（２）が、当該ハンドヘルド型装置（１）の前端（７）に、先端開口部（６）を備え、
前記第２のハウジング部材（３）が、当該ハンドヘルド型装置（１）の後端（９）に、後部開口部（１０）とフラップ（８）とを備え、
前記フラップ（８）が、前記後部開口部（１０）を覆う閉じた位置から、ヒンジ（１５）の軸線を中心として揺動して、前記後部開口部（１０）を覆わない開いた位置になるように構成されている、ハンドヘルド型装置。
【請求項４】
前記フラップ（８）が、第１の端部（３５）を有し、前記第１の端部は、前記第２のハウジング部材にヒンジ結合されている、請求項３に記載のハンドヘルド型装置。
【請求項５】
前記フラップ（８）が、第２の端部（１７）を有し、前記第２の端部にはロック部材（１８）が設けられ、前記第２のハウジング部材（３）に設けられた対応するロック部分（１９）と係合するように構成されている、請求項３又は４に記載のハンドヘルド型装置。
【請求項６】
前記カートリッジ（１３）が、供給リール軸ボス（２８）を備え、前記供給リール軸ボスには、供給リール（３０）が取り付けられ、前記供給リールには、表面に膜を備えたテープ（３４）が巻き付けられている、請求項３〜５のいずれか一項に記載のハンドヘルド型装置。
【請求項７】
前記カートリッジ（１３）が、巻取リール軸ボス（２９）を備え、前記巻取リール軸ボスには、前記巻取リール（３１）が取り付けられ、前記巻取リールには、使用済みの裏打ちテープ（３４）が自動的に巻き取られる、請求項３〜６のいずれか一項に記載のハンドヘルド型装置。
【請求項８】
前記カートリッジ（１３）が、付着部材（５）を備え、前記付着部材（５）が、付着縁部（１１）を有する先端部（４）を備えている、請求項３〜７のいずれか一項に記載のハンドヘルド型装置。
【請求項９】
裏打ちテープ（３４）を供給する駆動機構（２７）が、摩擦クラッチを備えている、請求項１〜８のいずれか一項に記載のハンドヘルド型装置。
【請求項１０】
前記第１のハウジング部材（２）と前記第２のハウジング部材（３）とが、当該ハンドヘルド型装置（１）の長手軸線（Ｌ）に沿って、前記付着部材（５）の前記先端部（４）が前記先端開口部（６）を通して突出する第１の位置から、前記付着部材（５）の前記先端部（４）が前記ハウジングの中に引っ込められる第２の位置へと互いに対して可動である、請求項１〜９のいずれか一項に記載のハンドヘルド型装置。
【請求項１１】
前記第２の位置においては、前記第２のハウジング部材（３）は伸張している、請求項１０に記載のハンドヘルド型装置。
【請求項１２】
前記フラップ（８）が、前記第２のハウジング部材（３）の後端（９）に対応した、半円形状を有している、請求項３〜１１のいずれか一項に記載のハンドヘルド型装置。
【請求項１３】
前記後部開口部（１０）が、前記カートリッジ（１３）のサイズに比して大きなサイズを有している、請求項３〜１２のいずれか一項に記載のハンドヘルド型装置。
【請求項１４】
前記カートリッジ（１３）が、前記第２のハウジング部材（３）に支持されている、請求項１〜１２のいずれか一項に記載のハンドヘルド型装置。
【請求項１５】
当該ハンドヘルド型装置（１）に接着剤、被覆材、又は着色材料が付着された裏打ちテープ（３４）を補給するための交換可能なカートリッジ（１３）を備え、
前記交換可能なカートリッジ（１３）が、前記付着部材（５）が通って突出する先端開口部（２６）が設けられたハウジング（２３）と、駆動機構（２７）とを備えている、請求項３〜１４のいずれか一項に記載のハンドヘルド型装置。
【請求項１６】
供給リール軸ボス（２８）が、前記交換可能なカートリッジ（１３）における前記ハウジングの内壁に形成されている、請求項１５に記載のハンドヘルド型装置。
【請求項１７】
巻取リール軸ボス（２９）が、前記交換可能なカートリッジ（１３）における前記ハウジングの内壁に設けられている、請求項１５又は１６に記載のハンドヘルド型装置。
【請求項１８】
前記交換可能なカートリッジ（１３）には、駆動機構（２７）が設けられ、
前記供給リール軸ボス（２８）には駆動ギアホイール（３２）が設けられ、前記巻取リール軸ボス（３１）には被動ギアホイール（３３）が設けられている、請求項１５〜１７のいずれか一項に記載のハンドヘルド型装置。
【請求項１９】
前記駆動ギアホイール（３２）と前記被動ギアホイール（３３）とは係合している、請求項１８に記載のハンドヘルド型装置。
【請求項２０】
前記ハウジング（２３）が、上側本体（２４）と下側本体（２５）とを備えている、請求項１５〜１９のいずれか一項に記載のハンドヘルド型装置。
【国際調査報告】
2009522139.tif 000010
2009522139.tif 000011
2009522139.tif 000012
2009522139.tif 000013
2009522139.tif 000014